(57)【要約】【課題】第２画像記録部によって記録される画像品質の低下を抑制する。【解決手段】記録装置は、搬送部３０、インクを吐出するヘッドを有する第１画像記録部、感光ドラム２１と転写ローラ２２を有する第２画像記録部２０、移動部６０、及び、これらを制御する制御部を含む。移動部６０は、感光ドラム２１と転写ローラ２２とが互いに接触する接触状態と感光ドラム２１と転写ローラ２２とが互いに離隔する離隔状態とをとるように、転写ローラ２２を移動させる。制御部は、第１画像記録部で用紙Ｐに画像記録を行う際に感光ドラム２１と転写ローラ２２とが離隔状態をとるように、第２画像記録部２０で用紙Ｐに画像記録を行う際に感光ドラム２１と転写ローラ２２とが接触状態をとるように、移動部６０を制御する。【選択図】図３
2015069118.tif 000002
【特許請求の範囲】
【請求項１】
所定の搬送経路に沿って記録媒体を搬送する搬送部と、
液体を吐出する複数の吐出口が形成された液体吐出ヘッドを含み、前記搬送部により搬送される記録媒体に対して前記複数の吐出口から液体を吐出して画像を記録するように構成された第１画像記録部と、
前記搬送経路において前記第１画像記録部よりも下流に配置され、感光体及び前記感光体との間において記録媒体を挟持するように構成された転写ローラを含み、前記感光体に担持されたトナー像を記録媒体に転写して記録媒体に画像を記録するように構成された第２画像記録部と、
前記感光体と前記転写ローラとが互いに接触する第１接触状態と前記感光体と前記転写ローラとが互いに離隔する第１離隔状態とをとるように、前記感光体及び前記転写ローラの少なくとも一方を移動させる第１移動部と、
記録媒体を搬送するように前記搬送部を制御し、かつ、記録媒体に前記第１画像記録部による画像記録を行うように前記第１画像記録部を制御し、記録媒体に前記第２画像記録部による画像記録を行うように前記第２画像記録部を制御する制御部とを備えており、
前記制御部は、前記第１画像記録部で記録媒体に画像記録を行う際に前記感光体と前記転写ローラとが前記第１離隔状態をとるように、前記第２画像記録部で記録媒体に画像記録を行う際に前記感光体と前記転写ローラとが前記第１接触状態をとるように、前記第１移動部を制御することを特徴とする記録装置。
【請求項２】
前記搬送経路において、前記第１画像記録部よりも下流であって前記第２画像記録部よりも上流に配置され、記録媒体と当接可能な第１当接部を有する第１当接部材をさらに備えており、
前記感光体は、前記第１画像記録部によって画像が記録される記録媒体の記録面と対向する位置に配置されており、
前記第１当接部は、前記第１離隔状態における前記感光体及び前記転写ローラの互いの回転軸を通る直線に沿った第１方向において、前記第１離隔状態における前記感光体よりも前記転写ローラ側であって記録媒体の前記記録面と当接可能な第１当接位置にあることを特徴とする請求項１に記載の記録装置。
【請求項３】
前記第１当接位置にある前記第１当接部は、前記第１方向において、前記第１離隔状態における前記感光体と前記転写ローラとの間にあることを特徴とする請求項２に記載の記録装置。
【請求項４】
前記搬送経路において、前記第２画像記録部よりも下流に配置され、記録媒体と当接可能な第２当接部を有する第２当接部材とをさらに備えており、
前記第２当接部は、前記第１方向において、前記第１離隔状態における前記感光体よりも前記転写ローラ側であって記録媒体の前記記録面と当接可能な第２当接位置にあることを特徴とする請求項２又は３に記載の記録装置。
【請求項５】
前記第２当接位置にある前記第２当接部は、前記第１方向において、前記第１離隔状態における前記感光体と前記転写ローラとの間にあることを特徴とする請求項４に記載の記録装置。
【請求項６】
前記第１方向において、前記第２当接部が前記第２当接位置と、前記第１接触状態における前記感光体の前記転写ローラと接触する接触点よりも前記感光体側であって記録媒体の前記記録面と対向する第２退避位置とをとるように前記第２当接部材を移動させる第２移動部をさらに備えており、
前記制御部は、前記第１画像記録部で記録媒体に画像記録を行う際に前記第２当接部が前記第２当接位置をとるように、前記第２画像記録部で記録媒体に画像記録を行う際に前記第２当接部が前記第２退避位置をとるように、前記第２移動部を制御することを特徴とする請求項４又は５に記載の記録装置。
【請求項７】
前記第２移動部は、前記第２当接部が前記第２当接位置をとるときに前記第１当接部が前記第１当接位置をとるように、前記第２当接部が前記第２退避位置をとるときに前記第１当接部が前記第１方向において前記接触点よりも前記感光体側であって記録媒体の前記記録面と対向する第１退避位置をとるように、前記第１当接部材を移動させることを特徴とする請求項６に記載の記録装置。
【請求項８】
前記第１当接部材は、前記第１当接部である歯先を複数有する拍車から構成されていることを特徴とする請求項７に記載の記録装置。
【請求項９】
前記搬送部は、前記第１当接部が前記第１当接位置をとるときに、前記第１当接部材と接触する位置に配置された第１駆動ローラをさらに備えていることを特徴とする請求項８に記載の記録装置。
【請求項１０】
前記第２当接部材は、前記第２当接部である歯先を複数有する拍車から構成されていることを特徴とする請求項７〜９のいずれか１項に記載の記録装置。
【請求項１１】
前記搬送部は、前記第２当接部が前記第２当接位置をとるときに、前記第２当接部材と接触する位置に配置された第２駆動ローラをさらに備えていることを特徴とする請求項１０に記載の記録装置。
【請求項１２】
前記第１移動部と前記第２移動部とが共通の部材から構成されていることを特徴とする請求項６〜１１のいずれか１項に記載の記録装置。
【請求項１３】
前記搬送経路において、前記第２当接部材よりも下流に配置される加熱ローラ及び前記加熱ローラとの間において記録媒体を挟持するように構成された挟持ローラを含み、前記第２画像記録部によって記録媒体に転写されたトナー像を定着させるように構成された定着部と、
前記加熱ローラと前記挟持ローラとが互いに接触する第２接触状態と前記加熱ローラと前記挟持ローラとが互いに離隔する第２離隔状態とをとるように、前記加熱ローラ及び前記挟持ローラの少なくとも一方を移動させる第３移動部とをさらに備えており、
前記制御部は、前記第１画像記録部で記録媒体に画像記録を行う際に前記加熱ローラと前記挟持ローラとが前記第２離隔状態をとるように、前記第２画像記録部で記録媒体に画像記録を行う際に前記加熱ローラと前記挟持ローラとが前記第２接触状態をとるように、前記第３移動部を制御することを特徴とする請求項６〜１２のいずれか１項に記載の記録装置。
【請求項１４】
前記搬送経路において、前記定着部よりも下流に配置され、記録媒体と当接可能な第３当接部を有する第３当接部材とをさらに備えており、
前記加熱ローラは、前記第２画像記録部によって画像が記録される記録媒体の前記記録面と対向する位置に配置されており、
前記第３当接部は、前記第２離隔状態における前記加熱ローラ及び前記挟持ローラの互いの回転軸を通る直線に沿った第２方向において、前記第２離隔状態における前記加熱ローラよりも前記挟持ローラ側であって記録媒体の前記記録面と当接可能な第３当接位置にあることを特徴とする請求項１３に記載の記録装置。
【請求項１５】
前記第３当接位置にある前記第３当接部は、前記第２方向において、前記第２離隔状態における前記加熱ローラと前記挟持ローラとの間にあることを特徴とする請求項１４に記載の記録装置。
【請求項１６】
前記第２方向において、前記第３当接部が前記第３当接位置と前記第２接触状態における前記加熱ローラの前記挟持ローラと接触する接触点よりも前記加熱ローラ側であって記録媒体の前記記録面と対向する第３退避位置とをとるように前記第３当接部材を移動させる第４移動部をさらに備えており、
前記制御部は、前記第１画像記録部で記録媒体に画像記録を行う際に前記第３当接部が前記第３当接位置をとるように、前記第２画像記録部で記録媒体に画像記録を行う際に前記第３当接部が前記第３退避位置をとるように、前記第４移動部を制御することを特徴とする請求項１４又は１５に記載の記録装置。
【請求項１７】
前記第２移動部と前記第４移動部とが共通の部材から構成されており、
前記第３当接部は、前記第２当接部が前記第２当接位置をとるときに前記第３当接位置をとり、前記第２当接部が前記第２退避位置をとるときに前記第３退避位置をとることを特徴とする請求項１６に記載の記録装置。
【請求項１８】
前記第３当接部材は、前記第３当接部である歯先を複数有する拍車から構成されていることを特徴とする請求項１７に記載の記録装置。
【請求項１９】
前記搬送部は、前記第３当接部が前記第３当接位置をとるときに、前記第３当接部材と接触する位置に配置された第３駆動ローラをさらに備えていることを特徴とする請求項１８に記載の記録装置。
【発明の詳細な説明】
【技術分野】
【０００１】
本発明は、記録媒体に画像を記録する記録装置に関する。
【背景技術】
【０００２】
特許文献１には、インクを吐出する記録ヘッドを含む第１の画像形成手段と、第１の画像形成手段よりも記録媒体の搬送経路下流側に配置された感光ドラム及び転写ローラを含む第２の画像形成手段と、感光ドラムに付着したインク滴を除去するためのインク除去手段とを含む画像形成装置について記載されている。この画像形成装置においては、モノクロ画像を電子写真方式による第２の画像形成手段で、カラー画像をインクジェット方式による第１の画像形成手段で、記録媒体に画像が形成される。そして、インク除去手段は、感光ドラムを払拭するウエブ本体によって感光ドラムに付着したインクを除去する。
【先行技術文献】
【特許文献】
【０００３】
【特許文献１】特開平８−２７２２５８号公報
【発明の概要】
【発明が解決しようとする課題】
【０００４】
しかしながら、このようなインク除去手段を有していても、感光ドラムからインクを完全に除去することは非常に困難である。感光ドラムにインクが残留すると、感光ドラムの静電潜像が滲んでしまう虞がある。この結果、画像劣化が生じる問題がある。
【０００５】
そこで、本発明の目的は、第２画像記録部によって記録される画像品質の低下を抑制することが可能な記録装置を提供することである。
【課題を解決するための手段】
【０００６】
本発明の記録装置は、所定の搬送経路に沿って記録媒体を搬送する搬送部と、液体を吐出する複数の吐出口が形成された液体吐出ヘッドを含み、前記搬送部により搬送される記録媒体に対して前記複数の吐出口から液体を吐出して画像を記録するように構成された第１画像記録部と、前記搬送経路において前記第１画像記録部よりも下流に配置され、感光体及び前記感光体との間において記録媒体を挟持するように構成された転写ローラを含み、前記感光体に担持されたトナー像を記録媒体に転写して記録媒体に画像を記録するように構成された第２画像記録部と、前記感光体と前記転写ローラとが互いに接触する第１接触状態と前記感光体と前記転写ローラとが互いに離隔する第１離隔状態とをとるように、前記感光体及び前記転写ローラの少なくとも一方を移動させる第１移動部と、記録媒体を搬送するように前記搬送部を制御し、かつ、記録媒体に前記第１画像記録部による画像記録を行うように前記第１画像記録部を制御し、記録媒体に前記第２画像記録部による画像記録を行うように前記第２画像記録部を制御する制御部とを備えている。そして、前記制御部は、前記第１画像記録部で記録媒体に画像記録を行う際に前記感光体と前記転写ローラとが前記第１離隔状態をとるように、前記第２画像記録部で記録媒体に画像記録を行う際に前記感光体と前記転写ローラとが前記第１接触状態をとるように、前記第１移動部を制御する。
【０００７】
これによると、第１画像記録部によって画像が記録される際には、感光体と転写ローラとが互いに離隔している。そのため、記録媒体が感光体及び転写ローラに接触しにくくなる。このため、当該記録媒体に記録された画像を構成する液体が、感光体に付着するのを抑制することが可能となり、第２画像記録部によって記録される画像品質の低下を抑制することができる。
【０００８】
本発明において、前記搬送経路において、前記第１画像記録部よりも下流であって前記第２画像記録部よりも上流に配置され、記録媒体と当接可能な第１当接部を有する第１当接部材をさらに備えている。そして、前記感光体は、前記第１画像記録部によって画像が記録される記録媒体の記録面と対向する位置に配置されており、前記第１当接部は、前記第１離隔状態における前記感光体及び前記転写ローラの互いの回転軸を通る直線に沿った第１方向において、前記第１離隔状態における前記感光体よりも前記転写ローラ側であって記録媒体の前記記録面と当接可能な第１当接位置にあることが好ましい。これにより、第１画像記録部によって画像が記録された記録媒体が、感光体により接触にくくなる。このため、記録媒体に記録された画像を構成する液体が、感光体に付着するのをより抑制することが可能となる。
【０００９】
また、本発明において、前記第１当接位置にある前記第１当接部は、前記第１方向において、前記第１離隔状態における前記感光体と前記転写ローラとの間にあることが好ましい。これにより、記録媒体の搬送負荷を小さくすることが可能となる。加えて、記録媒体が、第１離隔状態における感光体及び転写ローラ間を通過する際にジャムが生じにくくなる。
【００１０】
また、本発明において、前記搬送経路において、前記第２画像記録部よりも下流に配置され、記録媒体と当接可能な第２当接部を有する第２当接部材とをさらに備えている。そして、前記第２当接部は、前記第１方向において、前記第１離隔状態における前記感光体よりも前記転写ローラ側であって記録媒体の前記記録面と当接可能な第２当接位置にあることが好ましい。これにより、第１画像記録部によって画像が記録された記録媒体が、感光体により一層接触にくくなる。このため、記録媒体に記録された画像を構成する液体が、感光体に付着するのをより一層抑制することが可能となる。
【００１１】
また、本発明において、前記第２当接位置にある前記第２当接部は、前記第１方向において、前記第１離隔状態における前記感光体と前記転写ローラとの間にあることが好ましい。これにより、記録媒体の搬送負荷を小さくすることが可能となる。加えて、記録媒体が、第１離隔状態における感光体及び転写ローラ間を通過する際にジャムが生じにくくなる。
【００１２】
また、本発明において、前記第１方向において、前記第２当接部が前記第２当接位置と、前記第１接触状態における前記感光体の前記転写ローラと接触する接触点よりも前記感光体側であって記録媒体の前記記録面と対向する第２退避位置とをとるように前記第２当接部材を移動させる第２移動部をさらに備えている。そして、前記制御部は、前記第１画像記録部で記録媒体に画像記録を行う際に前記第２当接部が前記第２当接位置をとるように、前記第２画像記録部で記録媒体に画像記録を行う際に前記第２当接部が前記第２退避位置をとるように、前記第２移動部を制御することが好ましい。これにより、第２画像記録部で記録媒体に画像を記録する際に、第２当接部材による搬送負荷をなくすことが可能となる。
【００１３】
また、本発明において、前記第２移動部は、前記第２当接部が前記第２当接位置をとるときに前記第１当接部が前記第１当接位置をとるように、前記第２当接部が前記第２退避位置をとるときに前記第１当接部が前記第１方向において前記接触点よりも前記感光体側であって記録媒体の前記記録面と対向する第１退避位置をとるように、前記第１当接部材を移動させることが好ましい。これにより、第２画像記録部で記録媒体に画像を記録する際に、第１当接部材による搬送負荷をなくすことが可能となる。
【００１４】
また、本発明において、前記第１当接部材は、前記第１当接部である歯先を複数有する拍車から構成されていることが好ましい。これにより、第１画像記録部で画像が記録された記録媒体と第１当接部とが当接しても、画像が乱れにくくなる。
【００１５】
また、本発明において、前記搬送部は、前記第１当接部が前記第１当接位置をとるときに、前記第１当接部材と接触する位置に配置された第１駆動ローラをさらに備えていることが好ましい。これにより、記録媒体を感光体に接触するのをより抑制しつつ、記録媒体を搬送することができる。
【００１６】
また、本発明において、前記第２当接部材は、前記第２当接部である歯先を複数有する拍車から構成されていることが好ましい。これにより、第１画像記録部で画像が記録された記録媒体と第２当接部とが当接しても、画像が乱れにくくなる。
【００１７】
また、本発明において、前記搬送部は、前記第２当接部が前記第２当接位置をとるときに、前記第２当接部材と接触する位置に配置された第２駆動ローラをさらに備えていることが好ましい。これにより、記録媒体を感光体に接触するのをより抑制しつつ、記録媒体を搬送することができる。
【００１８】
また、本発明において、前記第１移動部と前記第２移動部とが共通の部材から構成されていることが好ましい。これにより、移動部の構成を簡素化することが可能となる。
【００１９】
また、本発明において、前記搬送経路において、前記第２当接部材よりも下流に配置される加熱ローラ及び前記加熱ローラとの間において記録媒体を挟持するように構成された挟持ローラを含み、前記第２画像記録部によって記録媒体に転写されたトナー像を定着させるように構成された定着部と、前記加熱ローラと前記挟持ローラとが互いに接触する第２接触状態と前記加熱ローラと前記挟持ローラとが互いに離隔する第２離隔状態とをとるように、前記加熱ローラ及び前記挟持ローラの少なくとも一方を移動させる第３移動部とをさらに備えている。そして、前記制御部は、前記第１画像記録部で記録媒体に画像記録を行う際に前記加熱ローラと前記挟持ローラとが前記第２離隔状態をとるように、前記第２画像記録部で記録媒体に画像記録を行う際に前記加熱ローラと前記挟持ローラとが前記第２接触状態をとるように、前記第３移動部を制御することが好ましい。これにより、第１画像記録部によって画像が記録される際には、加熱ローラと挟持ローラとが互いに離隔している。そのため、記録媒体が加熱ローラ及び挟持ローラに接触しにくくなる。このため、当該記録媒体に記録された画像を構成する液体が、加熱ローラに付着するのを抑制することが可能となる。加えて、加熱ローラ及び挟持ローラが第２当接部よりも搬送方向下流側に配置されることによって、第１画像記録部によって画像が記録された記録媒体が、第２当接部により加熱ローラにより接触にくくなる。このため、記録媒体に記録された画像を構成する液体が、加熱ローラに付着するのをより抑制することが可能となる。
【００２０】
また、本発明において、前記搬送経路において、前記定着部よりも下流に配置され、記録媒体と当接可能な第３当接部を有する第３当接部材とをさらに備えている。そして、前記加熱ローラは、前記第２画像記録部によって画像が記録される記録媒体の前記記録面と対向する位置に配置されており、前記第３当接部は、前記第２離隔状態における前記加熱ローラ及び前記挟持ローラの互いの回転軸を通る直線に沿った第２方向において、前記第２離隔状態における前記加熱ローラよりも前記挟持ローラ側であって記録媒体の前記記録面と当接可能な第３当接位置にあることが好ましい。これにより、第１画像記録部によって画像が記録された記録媒体が、加熱ローラにより一層接触にくくなる。このため、記録媒体に記録された画像を構成する液体が、加熱ローラに付着するのをより一層抑制することが可能となる。
【００２１】
また、本発明において、前記第３当接位置にある前記第３当接部は、前記第２方向において、前記第２離隔状態における前記加熱ローラと前記挟持ローラとの間にあることが好ましい。これにより、記録媒体の搬送負荷を小さくすることが可能となる。加えて、記録媒体が、第２離隔状態における加熱ローラ及び挟持ローラ間を通過する際にジャムが生じにくくなる。
【００２２】
また、本発明において、前記第２方向において、前記第３当接部が前記第３当接位置と前記第２接触状態における前記加熱ローラの前記挟持ローラと接触する接触点よりも前記加熱ローラ側であって記録媒体の前記記録面と対向する第３退避位置とをとるように前記第３当接部材を移動させる第４移動部をさらに備えている。そして、前記制御部は、前記第１画像記録部で記録媒体に画像記録を行う際に前記第３当接部が前記第３当接位置をとるように、前記第２画像記録部で記録媒体に画像記録を行う際に前記第３当接部が前記第３退避位置をとるように、前記第４移動部を制御することが好ましい。これにより、第２画像記録部で記録媒体に画像を記録する際に、第３当接部材による搬送負荷をなくすことが可能となる。
【００２３】
また、本発明において、前記第２移動部と前記第４移動部とが共通の部材から構成されており、前記第３当接部は、前記第２当接部が前記第２当接位置をとるときに前記第３当接位置をとり、前記第２当接部が前記第２退避位置をとるときに前記第３退避位置をとることが好ましい。これにより、移動部の構成を簡素化することが可能となる。
【００２４】
また、本発明において、前記第３当接部材は、前記第３当接部である歯先を複数有する拍車から構成されていることが好ましい。これにより、第１画像記録部で画像が記録された記録媒体と第３当接部とが当接しても、画像が乱れにくくなる。
【００２５】
また、本発明において、前記搬送部は、前記第３当接部が前記第３当接位置をとるときに、前記第３当接部材と接触する位置に配置された第３駆動ローラをさらに備えていることが好ましい。これにより、記録媒体を加熱ローラに接触するのをより抑制しつつ、記録媒体を搬送することができる。
【発明の効果】
【００２６】
本発明の記録装置によると、第１画像記録部によって画像が記録される際には、感光体と転写ローラとが互いに離隔している。そのため、記録媒体が感光体及び転写ローラに接触しにくくなる。このため、当該記録媒体に記録された画像を構成する液体が、感光体に付着するのを抑制することが可能となり、第２画像記録部によって記録される画像品質の低下を抑制することができる。
【図面の簡単な説明】
【００２７】
【図１】本発明に係る記録装置の内部構造を示す概略側面図である。
【図２】図１に示す第２画像記録部の構成を示す概略側面図である。
【図３】移動部の構成を示す概略側面図であり、（ａ）は３つのローラが退避位置を、感光ドラム及び転写ローラと加熱ローラ及び加圧ローラが接触状態をとる状況を示し、（ｂ）は３つのローラが当接位置を、感光ドラム及び転写ローラと加熱ローラ及び加圧ローラが離隔状態をとる状況を示す。
【図４】プリンタの電気的構成を示すブロック図である。
【図５】図１の記録装置の記録動作に係る制御フローを示すフローチャート図である。
【発明を実施するための形態】
【００２８】
以下、本発明の好適な実施の形態について、図面を参照しつつ説明する。
【００２９】
先ず、図１を参照し、本発明に係る記録装置１の全体構成について説明する。記録装置１は、インクジェット方式による第１画像記録部１０と、電子写真方式による第２画像記録部２０と、定着部２８とを有する。記録装置１には、図１中左方に給紙装置２が、図１中右方に排紙部３がそれぞれ設けられている。これら給紙装置２と排紙部３との間には、給紙装置２から搬送されてきた用紙（記録媒体）Ｐを搬送方向Ａであって排紙部３に向けて搬送する搬送部３０が設けられている。この搬送部３０は、給紙装置２から第１画像記録部１０、第２画像記録部２０及び定着部２８を順に通って排紙部３に至る搬送経路Ｒ１を含んでいる。また、記録装置１には、これらの動作を制御する制御部４が設けられている。給紙装置２に収納される用紙Ｐは、所定のサイズ（例えばＡ４）を有する定型紙である。
【００３０】
給紙装置２は、図１に示すように、積層された複数枚の用紙Ｐを収納可能な用紙収納部２ａと、用紙収納部２ａ内において最も上方にある用紙Ｐを搬送部３０に向けて送り出す給紙ローラ２ｂと、制御部４に制御され給紙ローラ２ｂを駆動する給紙モータ２Ｍ（図４参照）とを有している。この構成において、制御部４の制御により、給紙ローラ２ｂが用紙Ｐと接触した状態で回転することによって、搬送部３０に用紙Ｐが送り出される。
【００３１】
第１画像記録部１０は、シリアルタイプのヘッド１１と、キャリッジ１２と、ガイドレール１３と、キャリッジ１２をガイドレール１３に沿って往復移動させる移動部（不図示）と、移動部を駆動するキャリッジモータ１０Ｍ（図４参照）と、複数のカートリッジ（不図示）とを有する。複数のカートリッジの各々は、記録装置１に着脱可能に装着されている。各カートリッジには、互いに異なる色のインクが貯留されている。各カートリッジには、例えば、ブラック、シアン、マゼンタ、イエローのインクが貯留されている。また、各カーリッジは、チューブ及びポンプ（ともに図示せず）を介してヘッド１１と接続され、各色のインクがヘッド１１に供給される。本実施形態においては、カラータイプのヘッド１１が採用されているが、モノクロタイプのヘッドが採用されていてもよい。この場合、カートリッジには、ブラックインクが貯留される。
【００３２】
ヘッド１１は、略直方体形状を有し、その側面がキャリッジ１２によって支持されている。ヘッド１１の下面は、複数の吐出口が開口した吐出面１１ａである。記録に際して、複数の吐出口から各色のインクが吐出される。即ち、このヘッド１１は複数の吐出口と、複数の吐出口の各々に接続される液路（不図示）と、この液路の途中に設けられるエネルギー作用部（不図示）と、このエネルギー作用部にある液体に作用して液体を吐出させるためのエネルギーを発生するエネルギー発生手段（不図示）とを備えている。このエネルギー発生手段としてはピエゾ素子等の電気機械変換体を用いた液体吐出方法、レーザー等の電磁波を照射して発熱させ、当該発熱による作用で液滴を吐出させるエネルギー発生手段を用いた液体吐出方法、あるいは発熱抵抗体を有する発熱素子等の電気熱変換体によって液体を加熱して液体を吐出させるエネルギー発生手段を用いた液体吐出方法等がある。ヘッド１１は、キャリッジ１２を介してガイドレール１３に支持されており、吐出面１１ａがプラテン３７との間に記録に適した所定の間隙が形成されている。
【００３３】
ガイドレール１３は、図１に示すように、主走査方向（搬送部３０による搬送方向Ａと直交する方向であって図１中紙面垂直方向）に沿って延在し、記録装置１の筐体（不図示）に支持されている。キャリッジ１２は、ガイドレール１３に主走査方向に移動可能に支持されている。
【００３４】
この構成において、制御部４の制御によりキャリッジモータ１０Ｍを駆動することで、移動部を介してキャリッジ１２とともにヘッド１１が主走査方向に往復移動する。このときに、制御部４がヘッド１１を制御し複数の吐出口から所望タイミングでインクを吐出させることで、吐出面１１ａに対向して配置される用紙Ｐに画像を記録することができる。なお、本実施形態においては、主走査方向に直交し水平面に沿った方向が副走査方向であり、搬送方向Ａと平行である。
【００３５】
第２画像記録部２０は、搬送方向Ａにおいて、第１画像記録部１０よりも下流に配置されている。また、第２画像記録部２０は、図２に示すように、感光ドラム２１、転写ローラ２２、現像ローラ２３、層厚規制ブレード２４、供給ローラ２５、帯電器２６、スキャナユニット２７、トナー収容箱２９、及び、感光ドラム２１を駆動する駆動モータ２０Ｍ（図４参照）を含み、電子写真方式（後述する）により、用紙Ｐに画像（トナー像）が記録される。感光ドラム２１は、用紙Ｐの上面と対向可能に配置されている。言い換えると、感光ドラム２１は、用紙Ｐの面のうち、吐出面１１ａとプラテン３５との間を用紙Ｐが通過した際に、吐出面１１ａと対向した側の面と対向可能に配置されている。転写ローラ２２は、感光ドラム２１の下方部分と接触可能に配置されている。また、転写ローラ２２は、感光ドラム２１とで用紙Ｐを搬送する際に回転する従動ローラである。なお、現像ローラ２３及び供給ローラ２５も、感光ドラム２１の回転に伴って従動回転する。
【００３６】
この構成において、制御部４の制御により、駆動モータ２０Ｍを駆動することで、感光ドラム２１が用紙Ｐを搬送方向Ａ（排紙部３に向かう方向）に搬送するように図１中反時計回りに回転する。感光ドラム２１の回転に伴って、現像ローラ２３及び供給ローラ２５も回転し、トナーが供給ローラ２５により現像ローラ２３に供給される。トナーは、供給ローラ２５と現像ローラ２３との間で正に摩擦帯電される。現像ローラ２３上に供給されたトナーは、現像ローラ２３の回転に伴って、層厚規制ブレード２４と現像ローラ２３との間に進入し、さらに摩擦帯電されつつ、一定厚さの薄層として現像ローラ２３上に担持される。また、制御部４の制御により、帯電器２６（本実施形態においては、例えば、公知のスコロトロン型帯電器）が感光ドラム２１の表面を一様に負帯電させる。そして、制御部４の制御により、スキャナユニット２７がレーザビームの高速走査することにより、感光ドラム２１の表面が露光される。これにより、露光された部分の電位が下がって、画像データに基づく静電潜像が感光ドラム２１の表面に形成される。そして、現像ローラ２３の回転により、現像ローラ２３上に担持されているトナーが、感光ドラム２１の表面上に形成された静電潜像に供給されて、感光ドラム２１の表面上にトナー像が形成される。そして、感光ドラム２１と転写ローラ２２との間に用紙Ｐが搬送されることで、感光ドラム２１の表面に担持されているトナー像が、用紙Ｐ上に転写（記録）される。本実施形態において、像担持体として感光ドラム２１を例示しているが、像担持体はこれに限定する必要はなく、例えば次のものが含まれる。まず感光体としては、例えば、光導電層が用いられ、光導電体としては例えばアモルファスシリコン、アモルファスセレン、酸化亜鉛、酸化チタン及び有機光導電体（ＯＰＣ）等が含まれる。また当該感光体を搭載する形状としては、例えばドラム状、ベルト状等の回転体及びシート状等が含まれる。
【００３７】
定着部２８は、搬送方向Ａにおいて、第２画像記録部２０よりも下流に配置されている。また、定着部２８は、公知の構造であり、図１に示すように、ヒータ２８Ｈ（図４参照）が内蔵された加熱ローラ２８ａと、加圧ローラ２８ｂと、加熱ローラ２８ａを駆動する駆動モータ２８Ｍ（図４参照）とを有している。加熱ローラ２８ａは、用紙Ｐの上面と対向可能に配置されている。言い換えると、加熱ローラ２８ａは、用紙Ｐの面のうち、吐出面１１ａとプラテン３５との間を用紙Ｐが通過した際に、吐出面１１ａと対向した側の面と対向可能に配置されている。加圧ローラ２８ｂ（挟持ローラ）は、加熱ローラ２８ａの下方部分と接触可能に配置されている。また、加圧ローラ２８ｂは、加熱ローラ２８ａとで用紙Ｐを搬送する際に回転する従動ローラである。
【００３８】
この構成において、制御部４の制御により、駆動モータ２８Ｍを駆動することで、加熱ローラ２８ａが感光ドラム２１と同様に回転し、加圧ローラ２８ｂも従動回転する。これらローラ２８ａ，２８ｂ間に、トナーが転写された用紙Ｐが搬送されることで、当該用紙Ｐのトナーを熱定着させる。
【００３９】
搬送部３０は、６つの搬送ローラ対３１〜３６、プラテン３７、２つのガイド対４１，４２、移動部６０（図３参照）、及び、制御部４の制御により搬送ローラ対３１〜３６を駆動する搬送モータ３１Ｍ〜３６Ｍ（図４参照）を有する。プラテン３７は、吐出面１１ａの搬送方向Ａの長さよりも一回り大きく、主走査方向の長さが用紙Ｐよりも長い平面サイズを有する平板部材から構成されている。また、プラテン３７は、吐出面１１ａと対向する位置に配置され、用紙Ｐを支持する。
【００４０】
６つの搬送ローラ対３１〜３６は、搬送経路Ｒ１に沿って順に配置されている。より詳細には、搬送ローラ対３１は、第１画像記録部１０よりも搬送経路Ｒ１に沿って搬送方向Ａの上流に配置されている。搬送ローラ対３２は、搬送経路Ｒ１に沿って第１画像記録部１０とガイド対４１との間に配置されている。搬送ローラ対３３は、第２画像記録部２０よりも搬送方向Ａの上流であって、搬送経路Ｒ１に沿ってガイド対４１と第２画像記録部２０との間に配置されている。搬送ローラ対３４は、第２画像記録部２０よりも搬送方向Ａの下流であって、搬送経路Ｒ１に沿って第２画像記録部２０と定着部２８との間に配置されている。搬送ローラ対３５は、定着部２８よりも搬送方向Ａの下流であって、搬送経路Ｒ１に沿って定着部２８とガイド対４２との間に配置されている。搬送ローラ対３６は、ガイド対４２よりも搬送経路Ｒ１に沿って搬送方向Ａの下流に配置されている。
【００４１】
６つの搬送ローラ対３１〜３６のうち、３つの搬送ローラ対３１，３２，３６は互いに同様な構成を有し、それぞれ２つのローラを有する。これら３つの搬送ローラ対３１，３２，３６の下側のローラは、搬送モータ３１Ｍ，３２Ｍ，３６Ｍによって駆動される駆動ローラであり、上側のローラが下側のローラによって回転する従動ローラである。残りの３つの搬送ローラ対３３〜３５も互いに同様な構成を有し、図３に示すように、それぞれ２つのローラ３３ａ，３３ｂ，３４ａ，３４ｂ，３５ａ，３５ｂを有する。下側のローラ３３ｂ，３４ｂ，３５ｂは、搬送モータ３３Ｍ〜３５Ｍによって駆動される駆動ローラである。上側のローラ３３ａ，３４ａ，３５ａは、下側のローラ３３ｂ，３４ｂ，３５ｂによって回転する従動ローラである。また、上側のローラ３３ａ，３４ａ，３５ａ（第１〜第３当接部材）は、外側に向かって突出する複数の歯を外周面に有する拍車が主走査方向に複数配列されてなる拍車ローラから構成されており、当該拍車の歯先（第１当接部〜第３当接部）が用紙Ｐと当接する。なお、搬送ローラ対３２，３６の上側のローラも、拍車ローラから構成されていてもよい。
【００４２】
２つのガイド対４１，４２は、搬送経路Ｒ１の一部を構成する。ガイド対４１は、第１画像記録部１０と第２画像記録部２０との間であって２つの搬送ローラ対３２，３３間の経路を構成する２つのガイドから構成されている。ガイド対４２は、２つの搬送ローラ対３５，３６間の経路を構成する２つのガイドから構成されている。
【００４３】
移動部６０は、図３に示すように、支持部６１と、制御部４の制御により支持部６１を移動させるソレノイド６２とを有する。支持部６１は、一対の支持板６１ａと、接続板６１ｂとを有する。一対の支持板６１ａは、主走査方向において、３つの搬送ローラ対３３〜３５、感光ドラム２１及び転写ローラ２２、加熱ローラ２８ａ及び加圧ローラ２８ｂを挟む位置に配置されている。また、一対の支持板６１ａは、３つのローラ３３ａ，３４ａ，３５ａの軸３３ａ１，３４ａ１，３５ａ１と、転写ローラ２２の軸２２ａと、加圧ローラ２８ｂの軸２８ｂ１とを回転可能に支持する。なお、３つのローラ３３ｂ，３４ｂ，３５ｂ、感光ドラム２１及び加熱ローラ２８ａは、一対の支持板６１ａの内側に配置された別の一対の支持部（不図示）によって回転可能に支持されるとともに、その位置から移動不可能に配置されている。接続板６１ｂは、一対の支持板６１ａの下端同士を接続する平板であり、ソレノイド６２と接続されている。支持部６１は、鉛直方向にスライド可能に筐体に支持されている。
【００４４】
ソレノイド６２は、支持部６１を介して３つのローラ３３ａ，３４ａ，３５ａ、転写ローラ２２、及び、加圧ローラ２８ｂを鉛直方向に移動させる。つまり、ソレノイド６２は、図３（ａ）に示す第１位置と、図３（ｂ）に示す第１位置よりも下方の第２位置とを選択的にとるように、支持部６１を移動させる。第１位置では、３つのローラ３３ａ，３４ａ，３５ａがローラ３３ｂ，３４ｂ，３５ｂから離隔する退避位置（第１〜第３退避位置）をとるとともに、転写ローラ２２が感光ドラム２１と接触し、加圧ローラ２８ｂが加熱ローラ２８ａと接触する接触状態（第１及び第２接触状態）をとる。第２位置では、３つのローラ３３ａ，３４ａ，３５ａがローラ３３ｂ，３４ｂ，３５ｂと接触する当接位置（第１〜第３当接位置）をとるとともに、転写ローラ２２が感光ドラム２１から離隔し、加圧ローラ２８ｂが加熱ローラ２８ａから離隔する離隔状態（第１及び第２離隔状態）をとる。なお、感光ドラム２１及び転写ローラ２２と加熱ローラ２８ａ及び加圧ローラ２８ｂは、離隔状態における互いの離隔距離が用紙Ｐの厚みを超えている。
【００４５】
当接位置では、図３（ｂ）に示すように、ローラ３３ａ，３４ａの下端（拍車の歯先：当接部）が、鉛直方向（離隔状態における感光ドラム２１及び転写ローラ２２の回転軸を通る仮想直線Ｌ１に沿った方向）において、離隔状態における感光ドラム２１と転写ローラ２２との間に配置され、ローラ３３ｂ，３４ｂと接触する。言い換えると、ローラ３３ａ，３４ａの外縁のうち仮想直線Ｌ１に沿った方向において転写ローラ２２に最も近い部分が、感光ドラム２１の外縁のうち仮想直線Ｌ１に沿った方向において転写ローラ２２に最も近い部分よりも、仮想直線Ｌ１に沿った方向において転写ローラ２２に近い側、かつ、転写ローラ２２の外縁のうち仮想直線Ｌ１に沿った方向において感光ドラム２１に最も近い部分よりも感光ドラム２１に近い側に配置されている。また、当接位置では、図３（ｂ）に示すように、ローラ３５ａの下端（拍車の歯先）が鉛直方向（離隔状態における加熱ローラ２８ａ及び加圧ローラ２８ｂの回転軸を通る仮想直線Ｌ２に沿った方向）において、離隔状態における加熱ローラ２８ａと加圧ローラ２８ｂとの間に配置され、ローラ３５ｂと接触する。言い換えると、ローラ３５ａの外縁のうち仮想直線Ｌ１に沿った方向において加圧ローラ２８ｂに最も近い部分が、加熱ローラ２８ａの外縁のうち仮想直線Ｌ１に沿った方向において加圧ローラ２８ｂに最も近い部分よりも、仮想直線Ｌ１に沿った方向において加圧ローラ２８ｂに近い側、かつ、加圧ローラ２８ｂの外縁のうち仮想直線Ｌ１に沿った方向において加熱ローラ２８ａに最も近い部分よりも加熱ローラ２８ａに近い側に配置されている。このように当接位置に配置された３つのローラ３３ａ，３４ａ，３５ａは、搬送ローラ対３２によって搬送されてきた用紙Ｐの上面と当接可能であると共に、用紙Ｐを駆動ローラであるローラ３３ｂ，３４ｂ，３５ｂとで挟持し搬送可能となる。この場合、図３（ｂ）に示すように、感光ドラム２１及び転写ローラ２２と加熱ローラ２８ａ及び加圧ローラ２８ｂとが離隔状態をとるので、用紙Ｐは感光ドラム２１及び転写ローラ２２との間、加熱ローラ２８ａ及び加圧ローラ２８ｂとの間であって感光ドラム２１、転写ローラ２２、加熱ローラ２８ａ及び加圧ローラ２８ｂから離隔して通過する。なお、当接位置にある３つのローラ３３ａ，３４ａ，３５ａとローラ３３ｂ，３４ｂ，３５ｂとの接触点（用紙Ｐの挟持する位置）は、鉛直方向において、離隔状態をとる感光ドラム２１と転写ローラ２２との間、及び、加熱ローラ２８ａと加圧ローラ２８ｂとの間の略中間位置に配置されている。
【００４６】
退避位置では、図３（ａ）に示すように、ローラ３３ａ，３４ａの下端が、鉛直方向において、接触状態における感光ドラム２１の下端（感光ドラム２１の転写ローラ２２と接触する接触点）よりも上方（感光ドラム２１側）に配置されている。言い換えると、ローラ３３ａ，３４ａの外縁のうち仮想直線Ｌ１に沿った方向において転写ローラ２２に最も近い部分が、感光ドラム２１の外縁のうち仮想直線Ｌ１に沿った方向において転写ローラ２２に最も近い部分よりも、仮想直線Ｌ１に沿った方向において転写ローラ２２から遠い側（感光ドラム２１の回転中心に近い側）に配置されている。また、退避位置では、図３（ａ）に示すように、ローラ３５ａの下端が、鉛直方向において、接触状態における加熱ローラ２８ａの下端（加熱ローラ２８ａの加圧ローラ２８ｂと接触する接触点）よりも上方（加熱ローラ２８ａ側）に配置されている。言い換えると、ローラ３５ａの外縁のうち仮想直線Ｌ１に沿った方向において加圧ローラ２８ｂに最も近い部分が、加熱ローラ２８ａの外縁のうち仮想直線Ｌ１に沿った方向において加圧ローラ２８ｂに最も近い部分よりも、仮想直線Ｌ１に沿った方向において加圧ローラ２８ｂから遠い側（加熱ローラ２８ａの回転中心に近い側）に配置されている。このように３つのローラ３３ａ，３４ａ，３５ａは、退避位置において、用紙Ｐの上面と対向する位置であって、ローラ３３ｂ，３４ｂ，３５ｂと離隔する。この場合、図３（ａ）に示すように、感光ドラム２１及び転写ローラ２２と加熱ローラ２８ａ及び加圧ローラ２８ｂに搬送されてきた用紙Ｐは、接触状態をとる感光ドラム２１及び転写ローラ２２と加熱ローラ２８ａ及び加圧ローラ２８ｂとによって挟持されつつ搬送される。このときの用紙Ｐは、図３（ａ）に示すように、搬送ローラ対３３〜３５から離隔する。なお、接触状態をとる感光ドラム２１と転写ローラ２２との接触点（用紙Ｐの挟持する位置）、及び、加熱ローラ２８ａと加圧ローラ２８ｂとの接触点は、鉛直方向において、退避位置をとる３つのローラ３３ａ，３４ａ，３５ａとローラ３３ｂ，３４ｂ，３５ｂとの間の略中間位置に配置されている。
【００４７】
搬送方向Ａにおいて、搬送ローラ対３２よりも下流側かつ感光ドラム２１及び転写ローラ２２（より詳細には搬送ローラ対３３）よりも上流側には、センサ３８が設けられている。このセンサ３８は、搬送経路Ｒ１を搬送される用紙Ｐの先端を検知可能である。センサ３８が用紙Ｐの先端を検知すると、センサ３８は検知信号を出力する。
【００４８】
制御部４は、演算処理装置であるＣＰＵ（Central Processing Unit）に加え、ＲＯＭ（Read Only Memory）、ＲＡＭ（Random Access Memory：不揮発性ＲＡＭを含む）、ＡＳＩＣ（Application Specific Integrated Circuit ）、Ｉ／Ｆ（Interface）、Ｉ／Ｏ（Input/Output Port）、タイマ等を含む。ＲＯＭは、ＣＰＵが実行するプログラム、各種固定データ等を記憶している。ＲＡＭは、プログラム実行時に必要なデータ（例えば、画像データ）を一時的に記憶する。ＡＳＩＣは、画像データの書き換えや並び替え（例えば、信号処理や画像処理）を行う。Ｉ／Ｆは、外部装置（例えば、プリンタ１に接続されたＰＣ）とのデータ送受信を行う。Ｉ／Ｏは、各種センサの検出信号の入力／出力を行う。なお、制御部４がＡＳＩＣを含まず、ＣＰＵが実行するプログラムによって画像データの書き換えや並び替えが行われてもよい。
【００４９】
制御部４は、図４に示すように、給紙モータ２Ｍ、搬送モータ３１Ｍ〜３６Ｍ、ヘッド１１、キャリッジモータ１０Ｍ、駆動モータ２０Ｍ，２８Ｍ、帯電器２６、スキャナユニット２７、及び、ソレノイド６２等に接続されている。また、制御部４は、外部装置から受信した記録指令に基づいて、用紙Ｐにインク吐出方式又は電子写真方式による画像が記録されるよう、記録に係わる準備動作、用紙Ｐの供給・搬送・排出動作、用紙Ｐの搬送に同期した記録動作等を制御する。
【００５０】
続いて、記録装置１の記録動作に係る制御フローについて、図５を参照しつつ以下に説明する。
【００５１】
記録装置１は、用紙Ｐに画像記録を行う記録指令を外部装置から受信するまで待機する（ステップＳ１）。記録指令を受信すると（ＹＥＳ）、制御部４は、記録指令に含まれる情報がインク吐出方式による画像記録か否かを判定する（ステップＳ２）。制御部４は、ステップＳ２においてＹＥＳと判定した場合は、ステップＳ３へと進み、第１画像記録部１０でインク吐出方式による画像記録が実行される。
【００５２】
まず、ステップＳ３において、制御部４は、支持部６１が第２位置にあるか否かを判定し、支持部６１が第１位置にある場合（ＮＯ）、ソレノイド６２を制御し、支持部６２を第２位置とする（ステッＳ４）。ステップＳ３において、支持部６１が第２位置にある場合（ＹＥＳ）は、ステップＳ５に進む。これにより、用紙の先端が搬送ローラ対３３に達するまでにソレノイド６２を制御し、支持部６１を第２位置に移動させることができる。つまり、図３（ｂ）に示すように、感光ドラム２１及び転写ローラ２２と加熱ローラ２８ａ及び加圧ローラ２８ｂとがそれぞれ離隔状態をとり、３つのローラ３３ａ，３４ａ，３５ａが当接位置をとる。
【００５３】
ステップＳ５において、制御部４は、給紙モータ２Ｍを駆動して、用紙収容部２ａから搬送部３０に用紙Ｐを給紙する。ステップＳ６において、制御部４は、搬送モータ３１Ｍ〜３６Ｍを駆動して、排紙部３に向けて用紙Ｐを搬送する。このとき、制御部４は、２つの搬送モータ３１Ｍ，３２Ｍを制御して、画像を用紙Ｐに記録するためにヘッド１１からの液体吐出を開始する時点から液体吐出を終了する時点までの間だけ、搬送ローラ対３１，３２で用紙Ｐを間欠的に搬送する。すなわち、搬送ローラ対３１、３２は搬送と一時停止を繰り返す。
【００５４】
制御部４は、搬送ローラ対３１，３２による搬送が一時停止されているとき、キャリッジモータ１０Ｍ及びヘッド１１を制御して、ヘッド１１を主走査方向に往復移動させるとともに所望タイミングでインクを吐出し、用紙Ｐに画像を記録する（ステップＳ７）。
【００５５】
用紙Ｐの後端がヘッド１１を通過すると、制御部４は、ステップＳ８において、２つの搬送モータ３１Ｍ，３２Ｍを制御して、搬送ローラ対３１，３２が用紙Ｐを連続的に搬送する連続搬送に切り替える。なお、搬送ローラ対３３〜３６は、最初から用紙Ｐを連続搬送するように駆動されている。こうして、第１画像記録部１０で画像が記録された用紙Ｐは、第１画像記録部１０で画像が記録された用紙Ｐは、感光ドラム２１及び加熱ローラ２８ａと離隔した状態で搬送ローラ対３３〜３５によって排紙部３に向けて搬送される。そして、用紙Ｐは、ガイド対４２を通過し、搬送ローラ対３３によって排紙部３へと排紙される（ステップＳ８）。この後、ステップＳ１７に進む。
【００５６】
制御部４は、ステップＳ２においてＮＯと判定した場合は、ステップＳ９へと進み、第２画像記録部２０で電子写真方式による画像記録が実行される。まず、ステップＳ９において、制御部４は、ヒータ２８Ｈを制御し加熱ローラ２８ａを所定温度まで加熱する。次に、ステップＳ１０において、制御部４は、支持部６１が第１位置にあるか否かを判定し、支持部６１が第２位置にある場合（ＮＯ）、ソレノイド６２を制御し、支持部６２を第１位置とする（ステッＳ１１）。ステップＳ１０において、支持部６１が第１位置にある場合（ＹＥＳ）は、ステップＳ１２に進む。これにより、用紙の先端が搬送ローラ対３３に達するまでにソレノイド６２を制御し、支持部６１を第１位置に移動させることができる。つまり、図３（ａ）に示すように、感光ドラム２１及び転写ローラ２２と加熱ローラ２８ａ及び加圧ローラ２８ｂとがそれぞれ接触状態をとり、３つのローラ３３ａ，３４ａ，３５ａが退避位置をとる。
【００５７】
制御部４は、ステップＳ１２において、上述のステップＳ５と同様の制御を行う。そして、制御部４は、ステップＳ１３において、搬送モータ３１Ｍ，３２Ｍ，３６Ｍを駆動して、排紙部３に向けて用紙Ｐを搬送する。このとき、搬送ローラ対３１，３２，３６は、用紙Ｐを連続搬送するように駆動される。
【００５８】
ステップＳ１４において、制御部４は、用紙Ｐの搬送に同期して駆動モータ２０Ｍ、帯電器２６、及び、スキャナユニット２７を制御し、感光ドラム２１等を回転させつつ感光ドラム２１の表面上にトナー像を形成する。これにより、感光ドラム２１と転写ローラ２２との間に用紙Ｐが搬送されると、トナー像が用紙Ｐ上に転写される。ステップＳ１５において、制御部４は、用紙Ｐの搬送に同期して駆動モータ２８Ｍを制御し、加熱ローラ２８ａ及び加圧ローラ２８ｂも回転させる。トナー像が転写された用紙Ｐが加熱ローラ２８ａ及び加圧ローラ２８ｂを通過することで、用紙Ｐのトナーを熱定着させ、用紙Ｐ上に画像が記録される。こうして、画像が記録された用紙Ｐが搬送ローラ対３６によって排紙部３へと排紙される（ステップＳ１６）。この後、ステップＳ１７に進む。
【００５９】
ステップＳ１７において、次に記録指令を受信した場合（ＹＥＳ）は、ステップＳ２に戻り、受信していない場合（ＮＯ）は、当該記録動作に係る制御フローが修了する。
【００６０】
以上に述べたように、本実施形態による記録装置１によると、第１画像記録部１０によって画像が記録される際には、感光ドラム２１と転写ローラ２２とが互いに離隔している。そのため、用紙Ｐが感光ドラム２１及び転写ローラ２２に接触しにくくなる。このため、当該用紙Ｐに記録された画像を構成するインクが、感光ドラム２１に付着するのを抑制することが可能となり、第２画像記録部２０によって記録される画像品質の低下を抑制することができる。仮に、感光ドラム２１と転写ローラ２２とが互いに離隔しない構成とすると、第１画像記録部１０により画像が記録された用紙Ｐと、感光ドラム２１とが接触する。すなわち、インクが付着した用紙Ｐが感光ドラム２１と接触する。感光ドラム２１に水分が付着すると、感光ドラム２１上の電荷が移動して静電潜像が滲んでしまい、画像劣化が生じる虞がある。本実施形態による記録装置１によると、第１画像記録部１０によって画像が記録される際には、感光ドラム２１と転写ローラ２２とが互いに離隔しているため、第１画像記録部１０によって画像が記録された用紙Ｐと感光ドラム２１との接触を抑制することができる。
【００６１】
第１画像記録部１０によって画像が記録される際に、当接位置をとるローラ３３ａを有している。これにより、第１画像記録部１０によって画像が記録された用紙Ｐが、感光ドラム２１により接触にくくなる。このため、用紙Ｐに記録された画像を構成するインクが、感光ドラム２１に付着するのをより抑制することが可能となる。さらに、当接位置にあるローラ３３ａの下端は、鉛直方向において、感光ドラム２１と転写ローラ２２との間にある。これにより、用紙Ｐを感光ドラム２１から離すために必要以上に湾曲させる必要がなくなり、用紙Ｐの搬送負荷を小さくすることが可能となる。仮に、ローラ３３ａとローラ３３ｂとの接触点（ローラ３３ａの下端）が、鉛直方向において、転写ローラ２２の上端よりも下方にあると、搬送ローラ対３３によって搬送される用紙Ｐの先端が転写ローラ２２の上流側面に衝突し、用紙Ｐにジャムが生じやすくなる。しかしながら、本実施形態のように、当該接触点（ローラ３３ａの下端）が離隔状態における感光ドラム２１と転写ローラ２２との間にあることで、用紙Ｐが、感光ドラム２１及び転写ローラ２２間を通過する際にジャムしにくくなる。
【００６２】
第１画像記録部１０によって画像が記録される際に、当接位置をとるローラ３４ａを有している。これにより、第１画像記録部１０によって画像が記録された用紙Ｐのローラ３３ａを通過した部分が、感光ドラム２１により一層接触にくくなる。このため、用紙Ｐに記録された画像を構成するインクが、感光ドラム２１に付着するのをより一層抑制することが可能となる。さらに、当接位置にあるローラ３４ａの下端も、鉛直方向において、感光ドラム２１と転写ローラ２２との間にある。これにより、用紙Ｐを感光ドラム２１から離すために必要以上に湾曲させる必要がなくなり、用紙Ｐの搬送負荷を小さくすることが可能となる。仮に、ローラ３４ａとローラ３４ｂとの接触点（ローラ３４ａの下端）が、鉛直方向において、転写ローラ２２の上端よりも下方にあると、搬送ローラ対３４によって搬送される用紙Ｐが転写ローラ２２を介して湾曲し、用紙Ｐにジャムが生じやすくなる。しかしながら、本実施形態のように、当該接触点（ローラ３４ａの下端）が離隔状態における感光ドラム２１と転写ローラ２２との間にあることで、用紙Ｐが、感光ドラム２１及び転写ローラ２２間を通過する際にジャムしにくくなる。
【００６３】
ローラ３４ａを移動させる移動部６０が設けられていることで、第２画像記録部２０で用紙Ｐに画像を記録する際に、ローラ３４ａによる搬送負荷をなくすことが可能となる。また、移動部６０は、ローラ３３ａもローラ３４ａと同様に移動させるため、第２画像記録部２０で用紙Ｐに画像を記録する際に、ローラ３３ａによる搬送負荷をなくすことが可能となる。また、ローラ３３ａ，３４ａ，３５ａが拍車ローラであるため、第１画像記録部１０で画像が記録された用紙Ｐとこれらローラ３３ａ，３４ａ，３５ａが当接しても、画像が乱れにくくなる。
【００６４】
駆動ローラとしてローラ３３ｂ，３４ｂ，３５ｂを有しているため、用紙Ｐを感光ドラム２１及び加熱ローラ２８ａに接触するのをより抑制しつつ、用紙Ｐを搬送することができる。
【００６５】
移動部６０が、ローラ３３ａ，３４ａに加えて、ローラ３５ａ及び転写ローラ２２をも移動させるための共通の部材を有する。このため、移動部６０の構成を簡素化することが可能となる。さらに、移動部６０は、加圧ローラ２８ｂも移動させる。このため、移動部６０の構成をより簡素化することが可能となる。
【００６６】
また、制御部４は、第１画像記録部１０で用紙Ｐに画像を記録する際に加熱ローラ２８ａ及び加圧ローラ２８ｂが離隔状態をとるように、第２画像記録部２０で用紙Ｐに画像を記録する際に加熱ローラ２８ａ及び加圧ローラ２８ｂが接触状態をとるように、移動部６０を制御する。これにより、第１画像記録部１０によって画像が記録される際には、加熱ローラ２８ａと加圧ローラ２８ｂとが互いに離隔している。そのため、用紙Ｐが加熱ローラ２８ａ及び加圧ローラ２８ｂに接触しにくくなる。このため、当該用紙Ｐに記録された画像を構成するインクが、加熱ローラ２８ａに付着するのを抑制することが可能となる。加えて、加熱ローラ２８ａ及び加圧ローラ２８ｂがローラ３４ａよりも搬送方向下流側に配置されることによって、第１画像記録部１０によって画像が記録された用紙Ｐが、ローラ３４ａにより加熱ローラ２８ａにより接触にくくなる。このため、用紙Ｐに記録された画像を構成するインクが、加熱ローラ２８ａに付着するのをより抑制することが可能となる。
【００６７】
第１画像記録部１０によって画像が記録される際に、当接位置をとるローラ３５ａを有している。これにより、第１画像記録部１０によって画像が記録された用紙Ｐが、加熱ローラ２８ａにより一層接触にくくなる。このため、用紙Ｐに記録された画像を構成するインクが、加熱ローラ２８ａに付着するのをより一層抑制することが可能となる。さらに、当接位置にあるローラ３５ａの下端は、鉛直方向において、加熱ローラ２８ａと加圧ローラ２８ｂとの間にある。これにより、用紙Ｐを加熱ローラ２８ａから離隔させるために必要以上に湾曲させる必要がなくなり、用紙Ｐの搬送負荷を小さくすることが可能となる。仮に、ローラ３５ａとローラ３５ｂとの接触点（ローラ３５ａの下端）が、鉛直方向において、加圧ローラ２８ｂの上端よりも下方にあると、搬送ローラ対３５によって搬送される用紙Ｐが加圧ローラ２８ｂを介して湾曲し、用紙Ｐにジャムが生じやすくなる。しかしながら、本実施形態のように、当該接触点（ローラ３５ａの下端）が離隔状態における加熱ローラ２８ａと加圧ローラ２８ｂとの間にあることで、用紙Ｐが、加熱ローラ２８ａ及び加圧ローラ２８ｂ間を通過する際にジャムしにくくなる。
【００６８】
ローラ３５ａを移動させる移動部６０が設けられていることで、第２画像記録部２０で用紙Ｐに画像を記録する際に、ローラ３５ａによる搬送負荷をなくすことが可能となる。
【００６９】
以上、本発明の好適な実施の形態について説明したが、本発明は上述の実施の形態に限られるものではなく、特許請求の範囲に記載した限りにおいて様々な変更が可能なものである。例えば、上述の実施形態においては、ローラ３３ａ，３４ａ，３５ａが当接位置と退避位置とを選択的にとるように移動するが、当接位置に位置付けられていてもよい。これにおいても、感光ドラム２１及び転写ローラ２２と加熱ローラ２８ａ及び加圧ローラ２８ｂが離隔状態をとるとき（第１画像記録部１０で用紙Ｐに画像が記録される際）に、用紙Ｐがローラ３３ａ，３４ａ，３５ａによって感光ドラム２１及び加熱ローラ２８ａから離隔する。このため、上述と同様な効果を得ることができる。また、第１画像記録部１０で用紙Ｐに画像が記録される際、用紙Ｐを感光ドラム２１及び加熱ローラ２８ａから離隔させるための当接部材としては、上述のローラ３３ａ，３４ａ，３５ａ以外の部材から構成されていてもよい。また、ローラ３３ａ，３４ａ，３５ａは、平坦な外周面を有するローラから構成されていてもよい。また、当接位置におけるローラ３３ａ，３４ａ，３５ａの下端（すなわち、用紙Ｐと当接する当接部）は、転写ローラ２２の上端よりも下方であってもよい。
【００７０】
また、上述の実施形態においては、１つの移動部６０が３つのローラ３３ａ，３４ａ，３５ａ、転写ローラ２２及び加圧ローラ２８ｂを移動させているが、それぞれを単独で移動させる複数の移動部を有していてもよい。この場合においても、上述と同様のタイミングで３つのローラ３３ａ，３４ａ，３５ａ、転写ローラ２２及び加圧ローラ２８ｂを移動させれば、同じ効果を得ることができる。さらに、２〜４つの移動部によって、３つのローラ３３ａ，３４ａ，３５ａ、転写ローラ２２及び加圧ローラ２８ｂを種々組み合わせて移動させてもよい。これにおいても、上述と同様の効果を得ることができる。また、３つの搬送ローラ対３３〜３５はすべて設けられていなくてもよいし、３つの搬送ローラ対３３〜３５のうちのいずれかの１又は２つだけ設けられていてもよい。さらに、駆動ローラとしてのローラ３３ｂ，３４ｂ，３５ｂが設けられていなくてもよい。
【００７１】
また、上述の実施形態おいては、移動部６０が接触状態及び離隔状態をとるために、転写ローラ２２及び加圧ローラ２８ｂを移動させているが、感光ドラム２１及び加熱ローラ２８ａを移動させてもよいし、感光ドラム２１及び転写ローラ２２と加熱ローラ２８ａ及び加圧ローラ２８ｂの両方を移動させてもよい。また、第１画像記録部１０のヘッド１１は、ライン式ヘッドであってもよい。記録媒体は、用紙Ｐに限定されず、記録可能な様々な媒体であってよい。
【符号の説明】
【００７２】
１  記録装置
４  制御部
１０  第１画像記録部
１１  ヘッド（液体吐出ヘッド）
２０  第２画像記録部
２１  感光ドラム
２２  転写ドラム
２８  定着部
２８ａ  加熱ローラ
２８ｂ  加圧ローラ（挟持ローラ）
３０  搬送部
３３ａ  ローラ（第１当接部材）
３３ｂ  ローラ（第１駆動ローラ）
３４ａ  ローラ（第２当接部材）
３４ｂ  ローラ（第２駆動ローラ）
３５ａ  ローラ（第３当接部材）
３５ｂ  ローラ（第３駆動ローラ）
６０  移動部（第１移動部、第２移動部、第３移動部、第４移動部）
【図１】
2015069118.tif 000003
【図２】
2015069118.tif 000004
【図３】
2015069118.tif 000005
【図４】
2015069118.tif 000006
【図５】
2015069118.tif 000007